(57)【要約】  【課題】防犯効果の高い照明制御システムおよび照明装置を提供する。  【解決手段】屋外照明装置１は、住宅の出入口近傍の屋外に配置される屋外照明負荷１１と、出入口近傍の屋外に設定された検知エリア内の人体を検知する屋外人体センサ１２と、屋外人体センサ１２の検知信号に基づいて屋外照明負荷１１を点灯制御するとともに検知信号を出力する屋外制御部１３と、屋外制御部１３から出力される検知信号に基づいて人体検知信号を発生する信号出力部１４とを備え、屋内照明装置２は、出入口近傍の屋内に配置される屋内照明負荷２１と、信号出力部１４からの人体検知信号に基づいて屋内照明負荷２１を点灯制御する屋内制御部２２とを備える。屋外照明装置２の屋外制御部１３が、屋外照明負荷１１が点灯するタイミングと屋内照明負荷２１が点灯するタイミングとに所定の時間差を生じさせる時間差手段を構成している。【選択図】      図１
2005071885.tif 000002
【特許請求の範囲】
【請求項１】
住宅の出入口近傍の屋外に配置される屋外照明負荷、出入口近傍の屋外に設定された検知エリア内の人体を検知する屋外人体センサ、屋外人体センサの検知信号に基づいて屋外照明負荷を点灯制御する屋外制御部、屋外人体センサの検知信号に基づいて人体検知信号を発生する信号出力部を有する屋外照明装置と、出入口近傍の屋内に配置される屋内照明負荷、信号出力部からの人体検知信号に基づいて屋内照明負荷を点灯制御する屋内制御部を有する屋内照明装置とを備え、屋外照明負荷が点灯するタイミングと屋内照明負荷が点灯するタイミングとに所定の時間差を生じさせる時間差手段を設けてなることを特徴とする照明制御システム。
【請求項２】
前記時間差手段は、前記屋外照明負荷が点灯してから前記時間差が経過すると前記屋内照明負荷が点灯するように構成されてなることを特徴とする請求項１記載の照明制御システム。
【請求項３】
前記時間差手段は、前記屋外照明装置に設けられ、前記屋外照明装置は、前記屋外人体センサから検知信号が出力されてから前記時間差に応じて予め設定した所定時間後に人体検知信号を出力することを特徴とする請求項２記載の照明制御システム。
【請求項４】
前記屋外照明装置は、前記屋外人体センサから出力される検知信号が前記屋外制御部を経由して前記信号出力部へ伝達されるように構成され、前記屋外制御部が前記屋外人体センサから出力された検知信号を前記所定時間後に前記信号出力部へ伝達することを特徴とする請求項３記載の照明制御システム。
【請求項５】
前記信号出力部は、前記屋外制御部から検知信号を受信すると前記所定時間後に人体検知信号を前記屋内照明装置へ出力することを特徴とする請求項３記載の照明制御システム。
【請求項６】
前記屋内制御部は、前記信号出力部から出力された人体検知信号を受信してから前記時間差に応じて予め設定した所定時間後に前記屋内照明負荷を点灯させることを特徴とする請求項２記載の照明制御システム。
【請求項７】
前記屋内照明負荷がフィラメントを有する放電灯であり、前記屋内照明装置は、屋内に設定された所定の検知エリアの人体を検知する屋内人体センサを有し、前記屋内制御部は、前記信号出力部から出力された人体検知信号および屋内人体センサから出力された検知信号に基づいて前記屋内照明負荷の状態を制御するように構成され、屋内人体センサの検知信号を受信すると前記屋内照明負荷のフィラメントの予熱を開始し第１の予熱時間の経過後に前記屋内照明負荷を点灯状態へ移行させ、前記信号出力部からの人体検知信号を受信すると前記屋内照明負荷のフィラメントの予熱を開始し第１の予熱時間よりも長く設定した第２の予熱時間の経過後に前記屋内照明負荷を点灯状態へ移行させることを特徴とする請求項２記載の照明制御システム。
【請求項８】
前記第２の予熱時間における予熱電流値を前記第１の予熱時間における予熱電流値よりも小さく設定してなることを特徴とする請求項７記載の照明制御システム。
【請求項９】
前記時間差は３秒〜５分の範囲で設定されてなることを特徴とする請求項１ないし請求項８のいずれかに記載の照明制御システム。
【請求項１０】
前記屋内照明装置は、周囲照度を検知する屋内照度センサを有し、前記屋内制御部は、屋内照度センサによる検出照度が設定値以下であるときに前記信号出力部からの人体検知信号に基づいて前記屋内照明負荷を点灯制御し、屋内照度センサによる検出照度が設定値を超えているときには前記屋外照明装置からの人体検知信号の有無にかかわらず前記屋内照明負荷を消灯状態に保つことを特徴とする請求項１ないし請求項９のいずれかに記載の照明制御システム。
【請求項１１】
前記屋外照明装置は、周囲照度を検知する屋外照度センサと、前記信号出力部から人体検知信号を出力する防犯モードと前記信号出力部から人体検知信号を出力させない通常モードとを選択をするための動作モード切替部とを有し、前記屋外制御部は、屋外照度センサによる検出照度が設定値を超えているときには屋外人体センサの検知信号の有無にかかわらず前記屋外照明負荷を消灯状態に保つことを特徴とする請求項１ないし請求項１０のいずれかに記載の照明制御システム。
【請求項１２】
請求項１ないし請求項１１のいずれか１項に記載の照明制御システムを少なくとも１つ備えてなることを特徴とする照明装置。
【発明の詳細な説明】
【技術分野】
【０００１】
本発明は、住宅の玄関など出入口の近傍で屋外側および屋内側それぞれに設置される照明装置を連動して制御する照明制御システムに関するものである。
【背景技術】
【０００２】
従来より、住宅の玄関などの出入口の近傍で屋外側および屋内側それぞれに設置される照明装置を玄関の人の出入りに応じて連動制御する照明制御システムが提案されている（例えば、特許文献１参照）。
【０００３】
上記特許文献１に開示された照明制御システムは、図１１に示すように、出入口近傍で屋外側に設置される屋外照明負荷３と、出入口近傍で屋内側に設置される屋内照明負荷４と、出入口近傍で屋内側に設置され両照明負荷３，４を制御する屋内ユニット６と、出入口近傍で屋外側に設置され検知エリア内の人体を検知する屋外人体センサ５１および周囲照度を検知する屋外照度センサ５２および両センサ５１，５２の検知情報を屋内ユニット６へ送信する送信手段５３を収納した屋外ユニット５とを備えている。なお、屋外ユニット６には、屋外人体センサ５１および屋外照度センサ５２および送信手段５３に電力を供給する屋外電源部５４も収納されている。また、送信手段５３は、屋外人体センサ５１および屋外照度センサ５２の検知信号を屋内ユニット６へ送信するための送信回路５３ａと、送信回路５３ａからの信号を無線送信する送信用アンテナ５３ｂとで構成されている。
【０００４】
一方、屋内ユニット６には、屋内ユニット５の送信手段５３から送信された信号を受信する受信手段６１と、屋内側において周囲照度を検知する屋内照度センサ６２と、屋内側において検知エリア内の人体を検知する屋内人体センサ６３と、受信手段６１にて受信した信号および各センサ６２，６３それぞれの検知情報に基づいて両照明負荷３，４の状態を自動制御する制御手段６４と、受信手段６１および両センサ６２，６３および制御手段６４に電力を供給する屋内電源部６５とを備えている。なお、受信手段６１は、屋内ユニット５のアンテナ５３ｂから無線送信される信号を受信する受信用アンテナ６１ａと、受信用アンテナ６１ａにより受信した受信信号を増幅して検知信号を出力する受信回路６１ｂとで構成されている。また、制御手段６４は、受信回路６１ｂおよび屋内照度センサ６２および屋内人体センサ６３それぞれからの信号に基づいて屋外照明負荷３および屋内照明負荷４を制御するための制御信号を送出する制御回路６４ａと、制御回路６４ａから送出された制御信号に基づいて屋外照明負荷３および屋内照明負荷４それぞれの状態を切り替える駆動回路６４ｂとで構成されている。
【０００５】
この照明制御システムでは、出入口を挟んで設けられる屋外照明負荷３と屋内照明負荷４との両方を、出入口の人の出入りに応じて互いに連動させつつ自動制御することにより、両照明負荷３，４を点灯、消灯するための手動の操作の手間をなくすことができる。すなわち、屋外照明負荷３が点灯する場合には屋外照明負荷３の点灯に連動して屋内照明負荷４を同時に点灯させて、所定時間後に消灯（または調光点灯）させ、また、屋内照明負荷４が点灯する場合には屋内照明負荷４の点灯に連動して屋外照明負荷３を同時に点灯させて、所定時間後に消灯（または調光点灯）させるようになっている。そのため、例えば、夜間の来客時や帰宅時および外出時には、屋外照明負荷３と屋内照明負荷４とを自動的に点灯させ、その後、自動的に消灯させることができ、人の出入りに伴う手動の操作の手間がかからず、また、照明用の電力の節約を図れる。
【０００６】
ところで、最近の世の中は治安が悪くなってきており、一般住宅の玄関先の照明にも防犯効果が求められており、上述の照明制御システムでは、夜間などに玄関の屋外側に不審者が近づいて屋外人体センサ５２により検知されると、屋外照明負荷３および屋内照明負荷４が点灯するので、防犯効果がある。
【特許文献１】特開２００１−２８４０６２号公報（第３頁−第４頁、図１）
【発明の開示】
【発明が解決しようとする課題】
【０００７】
しかしながら、図１１に示した従来の照明制御システムでは、屋外ユニット５に設けられた屋外照度センサ５１および屋外人体センサ５２の検知情報に基づいて屋外照明負荷３を点灯するのと同時に屋内照明負荷４を点灯させるので、いかにも機械的であり、不審者に家人が在宅していないのではないかと疑われる可能性が高く（家人が不在ではないかと疑われやすく）、防犯効果が低い恐れがある。
【０００８】
また、図１１に示した従来の照明制御システムでは、屋外人体センサ５１または屋内人体センサ６２で人体が検知される度に両照明負荷３，４が点灯するので、家人が玄関を出入りする際に限らず、住宅内で玄関の近傍まで何らかの用事で出向いた時にも屋外照明負荷３が点灯するので、屋外照明負荷３の点滅頻度が多くなり、屋外照明負荷３の寿命が短くなりやすかった。
【０００９】
本発明は上記事由に鑑みて為されたものであり、その目的は、防犯効果の高い照明制御システムおよび照明装置を提供することにある。
【課題を解決するための手段】
【００１０】
請求項１の発明は、住宅の出入口近傍の屋外に配置される屋外照明負荷、出入口近傍の屋外に設定された検知エリア内の人体を検知する屋外人体センサ、屋外人体センサの検知信号に基づいて屋外照明負荷を点灯制御する屋外制御部、屋外人体センサの検知信号に基づいて人体検知信号を発生する信号出力部を有する屋外照明装置と、出入口近傍の屋内に配置される屋内照明負荷、信号出力部からの人体検知信号に基づいて屋内照明負荷を点灯制御する屋内制御部を有する屋内照明装置とを備え、屋外照明負荷が点灯するタイミングと屋内照明負荷が点灯するタイミングとに所定の時間差を生じさせる時間差手段を設けてなることを特徴とする。
【００１１】
この発明によれば、屋外人体センサにより人体が検知されたときに、屋外照明負荷が点灯するタイミングと屋内照明負荷が点灯するタイミングとが同じになることがなく、屋外照明負荷が点灯するタイミングと屋内照明負荷が点灯するタイミングとに所定の時間差が生じるので、住宅の家人の不在時に外部の不審者が出入口に近づいたような場合に不審者にあたかも家人が出入口に近づいてきたかのように見せかけることができ、防犯効果を高めることが可能となる。
【００１２】
請求項２の発明は、請求項１の発明において、前記時間差手段は、前記屋外照明負荷が点灯してから前記時間差が経過すると前記屋内照明負荷が点灯するように構成されてなることを特徴とする。
【００１３】
この発明によれば、前記屋外人体センサにより人体が検知されると、まず先に前記屋外照明負荷の点灯が開始され、前記時間差が経過すると前記屋内照明負荷の点灯が開始されるので、住宅の家人の不在時に外部の不審者が出入口に近づいたような場合に、不審者に対して、前記屋外照明負荷が点灯した後であたかも家人が出入口に近づいてきて前記屋内照明負荷を点灯させたと見せかけることができ、防犯効果を高めることが可能となる。
【００１４】
請求項３の発明は、請求項２の発明において、前記時間差手段は、前記屋外照明装置に設けられ、前記屋外照明装置は、前記屋外人体センサから検知信号が出力されてから前記時間差に応じて予め設定した所定時間後に人体検知信号を出力することを特徴とする。
【００１５】
この発明によれば、前記屋外人体センサにより人体が検知されたときに前記屋外照明負荷を点灯させてから前記所定時間後に人体検知信号を前記屋内照明装置へ出力するので、前記屋内照明装置に前記時間差を設定するための構成が不要になる。
【００１６】
請求項４の発明は、請求項３の発明において、前記屋外照明装置は、前記屋外人体センサから出力される検知信号が前記屋外制御部を経由して前記信号出力部へ伝達されるように構成され、前記屋外制御部が前記屋外人体センサから出力された検知信号を前記所定時間後に前記信号出力部へ伝達することを特徴とする。
【００１７】
この発明によれば、前記屋外人体センサにより人体が検知されたときに前記屋外照明負荷を点灯させてから前記所定時間後に人体検知信号を前記屋内照明装置へ出力するので、前記屋内照明装置に前記時間差を設定するための構成が不要になる。
【００１８】
請求項５の発明は、請求項３の発明において、前記信号出力部は、前記屋外制御部から検知信号を受信すると前記所定時間後に人体検知信号を前記屋内照明装置へ出力することを特徴とする。
【００１９】
この発明によれば、前記屋外人体センサにより人体が検知されたときに前記屋外照明負荷を点灯させてから前記所定時間後に人体検知信号を前記屋内照明装置へ出力するので、前記屋内照明装置に前記時間差を設定するための構成が不要になる。
【００２０】
請求項６の発明は、請求項２の発明において、前記屋内制御部は、前記信号出力部から出力された人体検知信号を受信してから前記時間差に応じて予め設定した所定時間後に前記屋内照明負荷を点灯させることを特徴とする。
【００２１】
この発明によれば、前記屋外照明装置に前記時間差を設定するための構成が不要になる。
【００２２】
請求項７の発明は、請求項２の発明において、前記屋内照明負荷がフィラメントを有する放電灯であり、前記屋内照明装置は、屋内に設定された所定の検知エリアの人体を検知する屋内人体センサを有し、前記屋内制御部は、前記信号出力部から出力された人体検知信号および屋内人体センサから出力された検知信号に基づいて前記屋内照明負荷の状態を制御するように構成され、屋内人体センサの検知信号を受信すると前記屋内照明負荷のフィラメントの予熱を開始し第１の予熱時間の経過後に前記屋内照明負荷を点灯状態へ移行させ、前記信号出力部からの人体検知信号を受信すると前記屋内照明負荷のフィラメントの予熱を開始し第１の予熱時間よりも長く設定した第２の予熱時間の経過後に前記屋内照明負荷を点灯状態へ移行させることを特徴とする。
【００２３】
この発明によれば、前記屋外人体センサあるいは前記屋内人体センサにより人体が検知された場合に前記屋内照明負荷が予熱後に点灯状態へ移行されるので、前記屋内照明負荷を確実に点灯させることができる。
【００２４】
請求項８の発明は、請求項７の発明において、前記第２の予熱時間における予熱電流値を前記第１の予熱時間における予熱電流値よりも小さく設定してなることを特徴とする。
【００２５】
この発明によれば、前記第２の予熱期間における予熱電流値を前記第１の予熱時間における予熱電流値よりも小さくできるので、前記屋内照明負荷の寿命を長くすることができる。
【００２６】
請求項９の発明は、請求項１ないし請求項８の発明において、前記時間差は３秒〜５分の範囲で設定されてなることを特徴とする。
【００２７】
この発明によれば、前記時間差が短かすぎたり長すぎたりすることにより外部の不審者に家人が不在ではないかと疑われるのを防止することが可能となる。
【００２８】
請求項１０の発明は、請求項１ないし請求項９の発明において、前記屋内照明装置は、周囲照度を検知する屋内照度センサを有し、前記屋内制御部は、屋内照度センサによる検出照度が設定値以下であるときに前記信号出力部からの人体検知信号に基づいて前記屋内照明負荷を点灯制御し、屋内照度センサによる検出照度が設定値を超えているときには前記屋外照明装置からの人体検知信号の有無にかかわらず前記屋内照明負荷を消灯状態に保つことを特徴とする。
【００２９】
この発明によれば、前記出入口近傍における屋内側が明るいときに前記屋内照明負荷が点灯されるのを防止することができるので、前記屋内照明負荷の点滅頻度を抑えることができ、前記屋内照明負荷の寿命を長くすることができる。
【００３０】
請求項１１の発明は、請求項１ないし請求項１０の発明において、前記屋外照明装置は、周囲照度を検知する屋外照度センサと、前記信号出力部から人体検知信号を出力する防犯モードと前記信号出力部から人体検知信号を出力させない通常モードとを選択をするための動作モード切替部とを有し、前記屋外制御部は、屋外照度センサによる検出照度が設定値を超えているときには屋外人体センサの検知信号の有無にかかわらず前記屋外照明負荷を消灯状態に保つことを特徴とする。
【００３１】
この発明によれば、動作モード切替部を設けたことにより、防犯動作する防犯モードと防犯動作を行わない通常モードとを動作モード切替部で選択することができ、例えば昼間の一般の来訪者が多い時には、通常モードに切り替えて防犯動作をさせないようにすることで前記屋内照明負荷の点滅頻度を抑えて前記屋内照明負荷の寿命を長くすることができ、また、夜間の来訪者が少ない時には、防犯モードに切り替えて防犯動作させるようにすることで防犯効果を高めることができ、しかも前記出入口近傍における屋外側が明るいときに前記屋外照明負荷が点灯されるのを防止することができるので、前記屋外照明負荷の点滅頻度を抑えることができ、前記屋外照明負荷の寿命を長くすることができる。
【００３２】
請求項１２の発明は、請求項１ないし請求項１１のいずれか１項に記載の照明制御システムを少なくとも１つ備えてなることを特徴とする。
【００３３】
この発明によれば、屋外人体センサにより人体が検知されたときに、屋外照明負荷が点灯するタイミングと屋内照明負荷が点灯するタイミングとに所定の時間差が生じるので、住宅の家人の不在時に外部の不審者が出入口に近づいたような場合に不審者にあたかも家人が出入口に近づいてきたかのように見せかけることができ、防犯効果を高めることが可能となる。
【発明の効果】
【００３４】
請求項１の発明では、屋外人体センサにより人体が検知されたときに、屋外照明負荷が点灯するタイミングと屋内照明負荷が点灯するタイミングとに所定の時間差が生じるので、住宅の家人の不在時に外部の不審者が出入口に近づいたような場合に不審者にあたかも家人が出入口に近づいてきたかのように見せかけることができ、防犯効果を高めることが可能となるという効果がある。
【００３５】
請求項１２の発明では、屋外人体センサにより人体が検知されたときに、屋外照明負荷が点灯するタイミングと屋内照明負荷が点灯するタイミングとに所定の時間差が生じるので、住宅の家人の不在時に外部の不審者が出入口に近づいたような場合に不審者にあたかも家人が出入口に近づいてきたかのように見せかけることができ、防犯効果を高めることが可能となるという効果がある。
【発明を実施するための最良の形態】
【００３６】
（実施形態１）
本実施形態の照明制御システムは、図１に示すように、住宅の玄関などの出入口近傍の屋外側に設置される屋外照明装置１と、出入口近傍の屋内側に設置される屋内照明装置２とで構成されている。
【００３７】
屋外照明装置１は、屋外側で出入口近傍を照明する屋外照明負荷１１と、屋外側で出入口近傍に設定された検知エリア内の人体を検知する屋外人体センサ１２と、屋外人体センサ１２の検知信号に基づいて屋外照明負荷１１を点灯制御するとともに検知信号を出力する屋外制御部１３と、屋外制御部１３から出力される検知信号に基づいて人体検知信号を出力する信号出力部１４とを備えている。ここに、屋外制御部１３は、屋外人体センサ１２の検知信号が入力されると、屋外照明負荷１１へ点灯信号を出力して屋外照明負荷１１を点灯させるとともに、検知信号を信号出力部１４へ出力する。信号出力部１４では検知信号を適宜電気変換（例えば、電圧−電流変換、高周波−ＤＣ変換など）した人体検知信号（この人体検知信号が屋内照明装置を連動させるための連動信号となる）を屋内照明装置２へ送信する。
【００３８】
一方、屋内照明装置２は、屋内側で出入口近傍を照明する屋内照明負荷２１と、屋外照明装置１の信号出力部１４から出力される人体検知信号に基づいて屋内照明負荷２１を点灯制御する屋内制御部２２とを備えている。ここに、屋内制御部２２は、信号出力部１４から出力された人体検知信号を受信すると、屋内照明負荷２１へ点灯信号を出力して屋内照明負荷２１を点灯させる。
【００３９】
屋外照明装置１における屋外人体センサ１２は、焦電型赤外線センサを用いて人体からの熱線を検出して検知信号を出力する。焦電型赤外線センサは、微分形のセンサであって、受光した熱線量に変化に応じた振幅の出力電圧を発生させるものであり、焦電型赤外線センサの出力電圧に規定の閾値以上の変化が生じると屋外人体センサ１２からはパルス状の検知信号が出力されるようになっている。ここに、焦電型赤外線センサは、受光した熱線量が変化したときにのみ出力を発生するものであるから、受光レンズなどを用いることで焦電型赤外線センサの視野内に感度むらを付与しておき、人の微小な動き（手足や顔の動きなど）でも焦電型赤外線センサから出力が得られるように構成されている。つまり、屋外人体センサ１２の検知エリア内に人が存在している間には、人の微小な動きが検出される度に屋外人体センサ１２から図２（ａ）のように検知信号が出力されることになる。
【００４０】
また、屋外人体センサ１２に用いる焦電型赤外線センサは、人が検知エリア内に存在していても動きがなく熱線量に変化が生じなければ出力電圧が得られないから、人に動きがなければ検知信号は得られない。つまり、検知信号が得られるときだけ屋外照明負荷１１を点灯させる構成とすると人の動きが止まったときには人が熱線センサの視野内に存在するにもかかわらず屋外照明負荷１１が消灯することになって不都合である。
【００４１】
そこで、屋外制御部１３には、屋外人体センサ２２から出力される検知信号を受信するとトリガされて時限動作を開始する第１の点灯保持タイマを設けてあり、検知信号の受信毎に第１の点灯保持タイマを再トリガするとともに、第１の点灯保持タイマの時限動作中に屋外照明負荷１１を点灯させ続けるような制御を行い、検知信号が受信されなくなれば、第１の点灯保持タイマにより時限される点灯保持時間ｔ１（図２（ｄ）参照）の経過後に屋外照明負荷１１を消灯させる。このように屋外照明負荷１１の点灯時間を制限することで電力消費に無駄が生じるのを防止することができる。
【００４２】
ところで、屋外制御部１３は、屋外人体センサ１２から検知信号を受信するとトリガされて時限動作を開始する遅れ用タイマを設けてあり、遅れ用タイマにより時限される所定時間ｔ３（図２（ｂ）参照）の経過後に、検知信号を発生させ信号出力部１４へ送信する。ここにおいて、屋外制御部１３は、１チップマイクロコンピュータ（以下、第１のマイコンと略称する）を搭載しており、第１の点灯保持タイマおよび遅れ用タイマは第１のマイコンの内部タイマにより構成され、このマイコンには点灯保持時間ｔ１を調節するための可変抵抗器よりなる第１の保持時間設定部および所定時間ｔ３を調節するための可変抵抗器よりなる遅れ時間設定部も接続される。なお、遅れ時間設定部では、遅れ用タイマの時限時間、つまり、上記所定時間ｔ３を３秒から５分の範囲で調節することが可能となっている。
【００４３】
また、屋内制御部２２は、１チップマイクロコンピュータ（以下、第２のマイコンと略称する）を搭載しており、信号出力部１３からの検知信号が受信されなくなれば、第２のマイコンの内部タイマにて構成した第２の点灯保持タイマにより時限される点灯保持時間ｔ２（図２（ｅ）参照）の経過後に屋内照明負荷２１を消灯させるようにしてある。
【００４４】
以上の動作をまとめると図２のようになる。なお、図２において（ａ）は屋外人体センサ１２から出力される検知信号、（ｂ）は屋外制御部１３から出力される検知信号、（ｃ）は信号出力部１４から出力される人体検知信号、（ｄ）は屋外照明負荷１１の状態、（ｅ）は屋内制御部２２の点灯制御出力（屋内制御部２２から出力される点灯信号）、（ｆ）は屋内照明負荷２１の状態、をそれぞれ示している。
【００４５】
次に、図２に基づいて動作を説明する。図２（ａ）のように屋外人体センサ１２から検知信号が出力される場合、屋外制御部１３は検知信号が入力されると第１の点灯保持タイマおよび遅れ用タイマそれぞれの時限動作を開始させるとともに屋外照明負荷１１へ点灯信号を出力して図２（ｄ）のように屋外照明負荷１１を点灯させ、遅れ用タイマにより所定時間ｔ３が時限されると図２（ｂ）のように検知信号を出力する。信号出力部１４では屋外制御部１３から検知信号が入力されると図２（ｃ）のように直ちに人体検知信号を出力する。そして、屋内制御部２２では信号出力部１４から人体検知信号が入力されると図２（ｅ）のように直ちに点灯制御出力（点灯信号）を発生して図２（ｆ）のように屋内照明負荷２１を点灯させる。
【００４６】
すなわち、本実施形態の照明制御システムでは、屋外人体センサ１２により人体が検知されると直ちに屋外照明負荷１１が点灯され所定時間ｔ３が経過した後に屋内照明負荷２１が点灯することになる。なお、本実施形態では、屋外制御部１３の信号処理において所定の遅れ時間（上記所定時間ｔ３）を持たせることにより屋外照明負荷１１が点灯するタイミングと屋内照明負荷２１が点灯するタイミングとに時間差を生じさせており、屋外制御部１３が、屋外照明負荷１１が点灯するタイミングと屋内照明負荷２１が点灯するタイミングとに所定の時間差を生じさせる時間差手段を構成している。ここに、上記所定時間ｔ３は、上述の時間差に応じて予め設定しておけばよく、上記所定時間ｔ３と上記時間差とは略同じ値となるので、上記時間差は、３秒から５分の範囲内で設定することができる。
【００４７】
しかして、本実施形態の照明制御システムでは、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。なお、本実施形態の照明制御システムにおいては、出入口の屋外側に人が近づくと自動的に屋外照明負荷１１が点灯し、その後で屋内照明負荷２１が点灯するが、出入口から人が遠ざかると自動的に消灯させることができるので、手動の操作のように手間がかからず、また、消し忘れも防止できる。
【００４８】
（実施形態２）
本実施形態の照明制御システムの基本構成は実施形態１と同じであって、図１における屋外制御部１３の動作が相違するだけである。ここにおいて、本実施形態における屋外制御部１３は、実施形態１にて説明した時間差に応じて予め設定した所定時間ｔ４（図３（ｂ）参照）を時限する遅れ用タイマが内部タイマにより構成されており、屋外人体センサ１２の検知信号が入力されると屋外照明負荷１１を点灯させるとともに、遅れ用タイマの時限動作を開始させ、遅れ用タイマにより所定時間ｔ４が時限されると再び屋外人体センサ１２の検知信号の有無を確認し、屋外人体センサ１２の検知信号が再入力された場合のみ信号出力部１４へ検知信号を出力するように構成されている。以下、動作について図３を参照しながら説明する。
【００４９】
図３（ａ）のように屋外人体センサ１２から検知信号が出力される場合、屋外制御部１３は検知信号が入力されると上記第１の点灯保持タイマおよび遅れ用タイマそれぞれの時限動作を開始させるとともに屋外照明負荷１１へ点灯信号を出力して図３（ｄ）のように屋外照明負荷１１を点灯させ、遅れ用タイマにより所定時間ｔ４が時限されると屋外人体センサ１２の検知信号の有無を確認し、図３（ａ）の左部に示すように屋外人体センサ１２からの検知信号の入力がないときには信号出力部１４へ検知信号を出力せず、点灯保持時間ｔ１の経過後に屋外照明負荷１１を消灯させる。これに対して、屋外制御部１３は、遅れ用タイマにより所定時間ｔ４の時限後に屋外人体センサ１２の検知信号の有無を確認し、図３（ａ）の右部に示すように屋外人体センサ１２の検知信号の入力がある場合には、図３（ｂ）のように検知信号を出力する。信号出力部１４では屋外制御部１３から検知信号が入力されると図３（ｃ）のように直ちに人体検知信号を出力する。そして、屋内制御部２２では信号出力部１４から人体検知信号が入力されると図３（ｅ）のように直ちに点灯制御出力（点灯信号）を発生して図３（ｆ）のように屋内照明負荷２１を点灯させる。
【００５０】
すなわち、本実施形態の照明制御システムでは、屋外人体センサ１２により人体が検知されると直ちに屋外照明負荷１１が点灯され所定時間ｔ４が経過した直後に屋外人体センサ１２により人体が検知された場合のみ屋内照明負荷２１が点灯することになる。なお、本実施形態では、屋外制御部１３の信号処理において所定の遅れ時間（上記所定時間ｔ４）を持たせることにより屋外照明負荷１１が点灯するタイミングと屋内照明負荷２１が点灯するタイミングとに時間差を生じさせており、屋外制御部１３が、屋外照明負荷１１が点灯するタイミングと屋内照明負荷２１が点灯するタイミングとに所定の時間差を生じさせる時間差手段を構成している。ここに、上記所定時間ｔ４は、上述の時間差に応じて予め設定しておけばよい。
【００５１】
しかして、本実施形態の照明制御システムにおいても、実施形態１と同様、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。しかも、屋外制御部１３は、屋外人体センサ１２の検知信号が入力されて所定時間ｔ４が経過した後に再び検知信号が入力された場合のみ検知信号を信号出力部１３へ出力するように構成されているので、屋外人体センサ１２の検知エリア内に進入した人体が所定時間ｔ４の経過前に検知エリアから立ち去ったような場合には屋内照明負荷２１を消灯状態に保つことができるので、屋内照明負荷２１の点滅頻度を抑えることができ、屋内照明負荷２１の寿命を長くすることができるとともに節電を図ることができる。
【００５２】
（実施形態３）
本実施形態の照明制御システムの基本構成は実施形態１と同じであって、図１における屋外制御部１３の動作が相違するだけである。ここにおいて、本実施形態における屋外制御部１３は、実施形態１にて説明した時間差に応じて予め設定した所定時間ｔ５（図４（ｃ）参照）を時限する遅れ用タイマが内部タイマにより構成されており、屋外人体センサ１２の検知信号が入力されると屋外照明負荷１１を点灯させるとともに、遅れ用タイマの時限動作を開始させ、遅れ用タイマによる所定時間ｔ５が時限されるまで屋外人体センサ１２の検知信号を連続的に受信した場合のみ信号出力部１４へ検知信号を出力するように構成されている。以下、動作について図４を参照しながら説明する。
【００５３】
図４（ａ）のように屋外人体センサ１２から検知信号が出力される場合、屋外制御部１３は検知信号が入力されると上記第１の点灯保持タイマおよび遅れ用タイマそれぞれの時限動作を開始させるとともに屋外照明負荷１１へ点灯信号を出力して図４（ｄ）のように屋外照明負荷１１を点灯させる。そして、屋外制御部１３は、遅れ用タイマにより所定時間ｔ５が時限されまで屋外人体センサ１２の検知信号が連続的に入力されるか否かを確認し、図４（ａ）の左部に示すように屋外人体センサ１２からの検知信号が所定時間ｔ５の時限終了まで連続的に入力されないときには信号出力部１４へ検知信号を出力せず、点灯保持時間ｔ１の経過後に屋外照明負荷１１を消灯させる。これに対して、屋外制御部１３は、遅れ用タイマによる所定時間ｔ５の時限終了まで図４（ａ）の右部に示すように屋外人体センサ１２の検知信号が連続的に入力された場合には、図４（ｂ）のように検知信号を出力する。信号出力部１４では屋外制御部１３から検知信号が入力されると図４（ｃ）のように直ちに人体検知信号を出力する。そして、屋内制御部２２では信号出力部１４から人体検知信号が入力されると図４（ｅ）のように直ちに点灯制御出力（点灯信号）を発生して図４（ｆ）のように屋内照明負荷２１を点灯させる。
【００５４】
すなわち、本実施形態の照明制御システムでは、屋外人体センサ１２により人体が検知されると直ちに屋外照明負荷１１が点灯され所定時間ｔ５が経過するまで屋外人体センサ１２により連続的に人体が検知された場合のみ屋内照明負荷２１が点灯することになる。なお、本実施形態では、屋外制御部１３の信号処理において所定の遅れ時間（上記所定時間ｔ５）を持たせることにより屋外照明負荷１１が点灯するタイミングと屋内照明負荷２１が点灯するタイミングとに時間差を生じさせており、屋外制御部１３が、屋外照明負荷１１が点灯するタイミングと屋内照明負荷２１が点灯するタイミングとに所定の時間差を生じさせる時間差手段を構成している。ここに、上記所定時間ｔ５は、上述の時間差に応じて予め設定しておけばよい。
【００５５】
しかして、本実施形態の照明制御システムにおいても、実施形態１と同様、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。しかも、屋外制御部１３は、屋外人体センサ１２の検知信号が入力されて所定時間ｔ５が経過するまで連続的に検知信号が入力された場合のみ検知信号を信号出力部１３へ出力するように構成されているので、屋外人体センサ１２の検知エリア内に進入した人体が所定時間ｔ５の経過前に検知エリアから立ち去ったような場合には屋内照明負荷２１を消灯状態に保つことができるので、屋内照明負荷２１の点滅頻度を抑えることができ、屋内照明負荷２１の寿命を長くすることができるとともに節電を図ることができる。
【００５６】
（実施形態４）
本実施形態の照明制御システムの基本構成は実施形態１と同じであって、図１における屋外制御部１３および信号出力部１４の動作が相違するだけである。ここにおいて、実施形態１では屋外制御部１３に遅れ用タイマを設けてあったのに対して、本実施形態では屋外制御部１３に遅れ用タイマを設ける代わりに、信号出力部１４に実施形態１にて説明した時間差に応じて予め設定した所定時間ｔ６（図５（ｃ）参照）を時限する遅れ用タイマ回路を設けている。本実施形態における信号出力部１４は、屋外制御部１３から出力された検知信号が入力されると遅れ用タイマ回路の時限動作を開始させ、遅れ用タイマ回路により所定時間ｔ６が時限されると人体検知信号を屋内照明装置２へ送信するように構成されている。以下、動作について図５を参照しながら説明する。
【００５７】
図５（ａ）のように屋外人体センサ１２から検知信号が出力される場合、屋外制御部１３は検知信号が入力されると屋外照明負荷１１へ点灯信号を出力して図５（ｄ）のように屋外照明負荷１１を点灯させるとともに図５（ｂ）のように検知信号を信号出力部１４へ出力し且つ上記第１の点灯保持タイマの時限動作を開始させる。信号出力部１４は、屋外制御部１３から検知信号が入力されると、遅れ用タイマ回路に時限動作を開始させ、遅れ用タイマ回路により所定時間ｔ６が時限されると図５（ｃ）のように人体検知信号を出力する。そして、屋内制御部２２では信号出力部１４から人体検知信号が入力されると図５（ｅ）のように直ちに点灯制御出力（点灯信号）を発生して図５（ｆ）のように屋内照明負荷２１を点灯させる。
【００５８】
すなわち、本実施形態の照明制御システムでは、屋外人体センサ１２により人体が検知されると直ちに屋外照明負荷１１が点灯され、所定時間ｔ６の経過後に屋内照明負荷２１が点灯することになる。なお、本実施形態では、信号出力部１４の信号処理において所定の遅れ時間（上記所定時間ｔ６）を持たせることにより屋外照明負荷１１が点灯するタイミングと屋内照明負荷２１が点灯するタイミングとに時間差を生じさせており、信号出力部１４が、屋外照明負荷１１が点灯するタイミングと屋内照明負荷２１が点灯するタイミングとに所定の時間差を生じさせる時間差手段を構成している。ここに、上記所定時間ｔ６は、上述の時間差に応じて予め設定しておけばよい。
【００５９】
しかして、本実施形態の照明制御システムにおいても、実施形態１と同様、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。
【００６０】
（実施形態５）
本実施形態の照明制御システムの基本構成は実施形態１と同じであって、図１における屋外制御部１３および屋内制御部２２の動作が相違するだけである。ここにおいて、実施形態１では屋外制御部１３に遅れ用タイマを設けてあったのに対して、本実施形態では屋外制御部１３に遅れ用タイマを設ける代わりに、屋内制御部２２に実施形態１にて説明した時間差に応じて予め設定した所定時間ｔ７（図６（ｅ）参照）を時限する遅れ用タイマを設けている。本実施形態における屋内制御部２２は、例えば、屋内照明負荷２１の点灯装置としてのインバータ回路と当該インバータ回路のスイッチング素子をオンオフ制御するＩＣを含むインバータ制御回路とで構成されており、インバータ制御回路におけるＩＣの内部タイマにより遅れ用タイマを構成し、信号出力部１４から出力された人体検知信号（連動信号）が入力されると遅れ用タイマの時限動作を開始させ、遅れ用タイマにより所定時間ｔ７が時限されると屋内照明負荷２１へ点灯信号を出力するように構成されている。以下、動作について図６を参照しながら説明する。
【００６１】
図６（ａ）のように屋外人体センサ１２から検知信号が出力される場合、屋外制御部１３は検知信号が入力されると屋外照明負荷１１へ点灯信号を出力して図６（ｄ）のように屋外照明負荷１１を点灯させるとともに図６（ｂ）のように検知信号を信号出力部１４へ出力し且つ上記第１の点灯保持タイマの時限動作を開始させる。信号出力部１４は、屋外制御部１３から検知信号が入力されると、図６（ｃ）のように直ちに人体検知信号を出力する。そして、屋内制御部２２では信号出力部１４から人体検知信号が入力されると、遅れ用タイマの時限動作を開始させ、遅れ用タイマにより所定時間ｔ７が時限されると図６（ｅ）のように点灯制御出力（点灯信号）を発生して図６（ｆ）のように屋内照明負荷２１を点灯させる。
【００６２】
すなわち、本実施形態の照明制御システムでは、屋外人体センサ１２により人体が検知されると直ちに屋外照明負荷１１が点灯され、所定時間ｔ７の経過後に屋内照明負荷２１が点灯することになる。なお、本実施形態では、屋内制御部２２の信号処理において所定の遅れ時間（上記所定時間ｔ７）を持たせることにより屋外照明負荷１１が点灯するタイミングと屋内照明負荷２１が点灯するタイミングとに時間差を生じさせており、屋内制御部２２が、屋外照明負荷１１が点灯するタイミングと屋内照明負荷２１が点灯するタイミングとに所定の時間差を生じさせる時間差手段を構成している。ここに、上記所定時間ｔ７は、上述の時間差に応じて予め設定しておけばよい。
【００６３】
しかして、本実施形態の照明制御システムにおいても、実施形態１と同様、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。
【００６４】
（実施形態６）
本実施形態の照明制御システムの基本構成は実施形態１と同じであって、図１における屋外制御部１３および屋内制御部２２の動作が相違するだけである。ここにおいて、実施形態１では屋外制御部１３に遅れ用タイマを設けてあったのに対して、本実施形態では屋外制御部１３に遅れ用タイマを設ける代わりに、屋内制御部２２に実施形態１にて説明した時間差に応じて予め設定した所定時間ｔ８（図７（ｅ）参照）を時限する遅れ用タイマを設けている。屋内照明負荷２１はフィラメントを有する放電灯（蛍光灯）により構成されており、本実施形態における屋内制御部２２は、例えば、屋内照明負荷２１の点灯装置としてのインバータ回路と当該インバータ回路のスイッチング素子をオンオフ制御するＩＣを含むインバータ制御回路とで構成されており、インバータ制御回路におけるＩＣの内部タイマにより遅れ用タイマを構成し、信号出力部１４から出力された人体検知信号（連動信号）が入力されると遅れ用タイマの時限動作を開始させるとともに屋内照明負荷２１へ予熱電流を流すようにし、遅れ用タイマにより所定時間ｔ８が時限されるまで信号出力部１４からの人体検知信号が連続的に入力されている場合のみ屋内照明負荷２１へ点灯信号を出力することで屋内照明負荷２１を点灯状態へ移行させるように構成されている。以下、動作について図７を参照しながら説明する。
【００６５】
図７（ａ）のように屋外人体センサ１２から検知信号が出力される場合、屋外制御部１３は検知信号が入力されると屋外照明負荷１１へ点灯信号を出力して図７（ｄ）のように屋外照明負荷１１を点灯させるとともに図７（ｂ）のように検知信号を信号出力部１４へ出力し且つ上記第１の点灯保持タイマの時限動作を開始させる。信号出力部１４は、屋外制御部１３から検知信号が入力されると、図７（ｃ）のように直ちに人体検知信号を出力する。そして、屋内制御部２２では信号出力部１４から人体検知信号が入力されると、遅れ用タイマの時限動作を開始させるとともに屋内照明負荷２１へ予熱電流を流して予熱を開始し、図７の左部のように所定時間ｔ８が経過する前（つまり、遅れ用タイマの時限が終了する前）に屋外人体センサ１２による検知信号がなくなった場合には、信号出力部１４からの人体検知信号の出力がなくなり、屋内制御部２２では屋内照明負荷２１の予熱を終了する。これに対して、図７の右部のように所定時間ｔ８よりも長い時間にわたって屋外人体センサ１２による検知信号がある場合、屋内制御部２２は、遅れ用タイマにより所定時間ｔ８が時限されると図７（ｅ）のように点灯制御出力（点灯信号）を発生して図７（ｆ）のように屋内照明負荷２１を点灯させる。
【００６６】
すなわち、本実施形態の照明制御システムでは、屋外人体センサ１２により人体が検知されると直ちに屋外照明負荷１１が点灯され所定時間ｔ８が経過した後に屋内照明負荷２１が点灯することになる。なお、本実施形態では、屋内制御部２２の信号処理において所定の遅れ時間（上記所定時間ｔ８）を持たせることにより屋外照明負荷１１が点灯するタイミングと屋内照明負荷２１が点灯するタイミングとに時間差を生じさせており、屋外制御部１３が、屋外照明負荷１１が点灯するタイミングと屋内照明負荷２１が点灯するタイミングとに所定の時間差を生じさせる時間差手段を構成している。ここに、上記所定時間ｔ８は、上述の時間差に応じて予め設定しておけばよい。
【００６７】
しかして、本実施形態の照明制御システムにおいても、実施形態１と同様、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。しかも、屋内制御部２２は、遅れ用タイマにより所定時間ｔ８が時限されるまで信号出力部１４からの人体検知信号が連続的に入力されている場合のみ屋内照明負荷２１へ点灯信号を出力することで屋内照明負荷２１を点灯させるように構成されているので、屋内照明負荷２１の点滅頻度を抑えることができ、屋内照明負荷２１の寿命を長くすることができるとともに節電を図ることができる。
【００６８】
（実施形態７）
本実施形態の照明制御システムの基本構成は実施形態６と略同じであって、屋内照明装置２（図１参照）に出入口近傍で屋内側に設定した検知エリア内の人体を検知する屋内人体センサを設けてあり、屋内制御部２２が、蛍光灯からなる屋内照明負荷２１を点灯する時の始動条件として、標準の予熱電流値（以下、標準予熱電流値と称す）の予熱電流を屋内照明負荷２１のフィラメントに流す第１の始動モードと、標準予熱電流値よりも小さな予熱電流値の予熱電流を屋内照明負荷２１のフィラメントに流す第２の始動モードとを有していて、屋外照明装置１からの人体検知信号（連動信号）の有無に応じてこれら２つのモードを切り替えらるように構成されている。なお、屋内人体センサの構成は屋外人体センサ１２と同様である。
【００６９】
ここに、屋内制御部２２は、屋外照明装置１の信号出力部１４から人体検知信号を受信していないとき（通常モードという）に、屋内人体センサの検知信号が入力されると第１の始動モードを選択し、屋外照明装置１の信号出力部１４から人体検知信号を受信したときに第２の始動モードを選択するように構成されている。第１の始動モードにおける予熱期間を第１の予熱期間、第２の始動モードにおける予熱期間を第２の予熱期間とすれば、第１の予熱期間は例えば１秒程度に設定すればよく、第２の予熱期間は予熱電流値が小さいので、屋内照明負荷２１の寿命が損なわれないように第１の予熱期間よりも十分長く設定している。
【００７０】
以下、本実施形態の照明制御システムの動作について図８を参照しながら説明する。
【００７１】
図８（ａ）の左部のように屋外人体センサの検知信号がなく図８（ｂ）の左部のようにように屋内人体センサから検知信号が出力される通常モードでは、屋内制御部２２は、屋内人体センサから検知信号が入力されると図８（ｅ）のように屋内照明負荷２１を標準予熱電流値で予熱する点灯制御出力を発生し、第１の予熱期間が終了すると屋内照明負荷２１を点灯させる点灯制御出力を発生する。
【００７２】
一方、図８（ａ）の右部のように屋外人体センサの検知信号がある防犯モードでは、屋外制御部１３は、屋外人体センサ１２から検知信号が入力されると図８（ｄ）のように屋外照明負荷１１を点灯させるとともに検知信号を信号出力部１４へ出力し且つ上記第１の点灯保持タイマの時限動作を開始させる。信号出力部１４は、屋外制御部１３から検知信号が入力されると、図８（ｃ）のように直ちに人体検知信号（連動信号）を出力する。そして、屋内制御部２２では信号出力部１４から人体検知信号が入力されると、遅れ用タイマの時限動作を開始させるとともに屋内照明負荷２１へ標準予熱電流値よりも小さな予熱電流値の予熱電流を流して予熱を開始し、図８の右部のように所定時間ｔ８よりも長い時間にわたって屋外人体センサ１２による検知信号がある場合、屋内制御部２２は、遅れ用タイマにより所定時間ｔ８が時限されると図８（ｅ）のように屋内照明負荷２１を点灯させる点灯制御出力を発生して図８（ｆ）のように屋内照明負荷２１を点灯させる。
【００７３】
すなわち、本実施形態の照明制御システムの防犯モードでは、屋外人体センサ１２により人体が検知されると直ちに屋外照明負荷１１が点灯され所定時間ｔ８が経過した後に屋内照明負荷２１が点灯することになる。なお、本実施形態では、屋内制御部２２の信号処理において所定の遅れ時間（上記所定時間ｔ８）を持たせることにより屋外照明負荷１１が点灯するタイミングと屋内照明負荷２１が点灯するタイミングとに時間差を生じさせており、屋外制御部１３が、屋外照明負荷１１が点灯するタイミングと屋内照明負荷２１が点灯するタイミングとに所定の時間差を生じさせる時間差手段を構成している。ここに、上記所定時間ｔ８は、上述の時間差に応じて予め設定しておけばよい。
【００７４】
しかして、本実施形態の照明制御システムにおいても、実施形態１と同様、屋外人体センサ１２により人体が検知されたときに、屋外照明負荷１１が点灯するタイミングと屋内照明負荷２１が点灯するタイミングとが同じになることがなく、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が在宅しており出入口に近づいてきたかのように見せかける（錯覚させる）ことができ、防犯効果を高めることが可能となる。しかも、屋内制御部２２は、遅れ用タイマにより所定時間ｔ８が時限されるまで信号出力部１４からの人体検知信号が連続的に入力されている場合のみ屋内照明負荷２１へ点灯信号を出力することで屋内照明負荷２１を点灯させるように構成されているので、屋内照明負荷２１の点滅頻度を抑えることができ、屋内照明負荷２１の寿命を長くすることができるとともに節電を図ることができる。
【００７５】
（実施形態８）
本実施形態の照明制御システムの基本構成は実施形態１と略同じであって、図９に示すように、屋外照明装置１が、周囲照度を検知する屋外照度センサ１５および信号出力部１４から人体検知信号を出力する防犯モードと信号出力部１４から人体検知信号を出力させない通常モードとを選択をするための動作モード切替部１６を備えている点、屋内照明装置２が周囲照度を検知する屋内照度センサ２４および検知エリア内の人体を検知する屋内人体センサ２３を備えている点などが相違する。なお、実施形態１と同様の構成要素には同一の符号を付して説明を省略する。
【００７６】
すなわち、本実施形態におけるの屋外照明装置１の屋外制御部１３には、屋外照度センサ１５および動作モード切替部１６が接続されており、動作モード切替部１６により防犯モードが選択されている場合と通常モードが選択されている場合とで動作が異なるようになっている。また、屋内照明装置２の屋内制御部２２には、屋内照度センサ２４および屋内人体センサ２３が接続されている。
【００７７】
以下、本実施形態の照明制御システムの動作について通常モードの場合と、防犯モードの場合とに分けて説明する。
【００７８】
通常モードが選択されている場合、屋外制御部１３は、屋外人体センサ１２の検知信号が入力されると屋外照度センサ１５による検出照度を確認し検出照度が設定値（第１の設定値）ＴＨ以下であれば（つまり、周囲が暗ければ）、屋外照明負荷１１へ点灯信号を出力して屋外照明負荷１１を点灯させ、検出照度が設定値ＴＨを超えているときには屋外人体センサ１２の検知信号の有無にかかわらず点灯信号を出力せず屋外照明負荷１１を消灯状態に保つようになっているので、出入口近傍における屋外側が明るいときに屋外照明負荷１１が点灯されるのを防止することができ、屋外照明負荷１１の点滅頻度を抑えることができて、屋外照明負荷１１の寿命を長くすることができる。
【００７９】
また、通常モードが選択されている場合、屋内制御部２２は、屋内人体センサ２３の検知信号が入力されると屋内照度センサ２４による検出照度を確認し検出照度が設定値（第２の設定値）ＴＨ以下であれば（つまり、周囲が暗ければ）、屋内照明負荷２１へ点灯信号を出力して屋内照明負荷２１を点灯させ、検出照度が設定値ＴＨを超えているときには屋内人体センサ２３の検知信号の有無にかかわらず点灯信号を出力せず屋内照明負荷２１を消灯状態に保つようになっているので、出入口近傍における屋外側が明るいときに屋外照明負荷１１が点灯されるのを防止することができ、屋外照明負荷１１の点滅頻度を抑えることができて、屋外照明負荷１１の寿命を長くすることができる。
【００８０】
一方、防犯モードが選択されている場合、図１０（ａ）の左部のように屋外照度センサ１５の検出照度が設定値ＴＨよりも大きな状態で図１０（ｂ）の左部のように屋外人体センサ１２の検知信号が発生したときには、屋外制御部１３から検知信号が出力され、信号出力部１４から上記所定時間ｔ３遅れで図１０（ｃ）の左部のように人体検知信号を出力する。すると、屋内制御部２２では、屋内照度センサ２４の検出照度を確認し、検出照度が図１０（ｅ）の左部のように設置値ＴＨを超えている場合には点灯信号を出力せず、検出照度が設定値ＴＨ以下の場合には点灯信号を出力して屋内照明負荷２１を点灯させる。
【００８１】
また、防犯モードが選択されている場合、図１０（ａ）の右部のように屋外照度センサ１５の検出照度が設定値ＴＨよりも小さな状態で図１０（ｂ）の右部のように屋外人体センサ１２の検知信号が発生したときには、屋外制御部１３が屋外照明負荷１１を点灯させるとともに検知信号を信号出力部１４へ出力する。信号出力部１４では上記所定時間ｔ３遅れで図１０（ｃ）の右部のように人体検知信号が出力される。すると、屋内制御部２２では、屋内照度センサ２４の検出照度を確認し、検出照度が設置値ＴＨを超えている場合には点灯信号を出力せず、図１０（ｅ）の右部のように検出照度が設定値ＴＨ以下の場合には点灯信号を出力して屋内照明負荷２１を点灯させる。
【００８２】
しかして、本実施形態の照明制御システムでは、動作モード切替部１６を設けたことにより、防犯動作する防犯モードと防犯動作を行わない通常モードとを動作モード切替部１６で選択することができ、例えば昼間の一般の来訪者が多い時には、通常モードに切り替えて防犯動作をさせないようにすることで屋内照明負荷２１の点滅頻度を抑えて屋内照明負荷２１の寿命を長くすることができ、また、夜間の来訪者が少ない時（特に深夜など）には、防犯モードに切り替えて防犯動作させるようにすることで防犯効果を高めることができる。なお、時間差手段は、屋外制御部１３、信号出力部１４、屋内制御部２２のいずれか１つに設ければよい。
【００８３】
ところで、上記各実施形態では、先に屋外照明負荷１１を点灯させてから、その後、屋内照明負荷２１を点灯させるように構成されているが、屋内照明負荷２１を先に点灯させてから、その後、屋外照明負荷１１を点灯させるように構成してもよい。
【００８４】
例えば、図１の構成について説明すれば、以下のようになる。すなわち、屋外人体センサ１２で人体が検知されると、屋外制御部１３は、検知信号を発生して信号出力部１４へ出力するとともに内部タイマにより時限した所定時間後に屋外照明負荷１１へ点灯信号を送り屋外照明負荷１１を点灯させる。一方、信号出力部１４は検知信号が入力されると直ちに点灯検知信号（連動信号）を屋内照明装置２へ送信し、人体検知信号を受信した屋内制御部２２は直ちに点灯信号を屋内照明負荷２１へ出力して屋内照明負荷２１を点灯させる。その結果、屋内照明負荷２１が点灯してから、所定時間後に、屋外照明負荷１１が点灯する。なお、実施形態８と同様に照度センサと組み合わせて動作させるようにしてもよいことは勿論である。
【００８５】
また、上記各実施形態のいずれかに記載の照明制御システムを少なくとも１つ備えた照明装置を採用してもよく、この場合にも、屋外人体センサ１２により人体が検知されたときに、屋外照明負荷１１が点灯するタイミングと屋内照明負荷２１が点灯するタイミングとに所定の時間差が生じるので、住宅の家人の不在時に外部の不審者が出入口に近づいたような場合に不審者にあたかも家人が出入口に近づいてきたかのように見せかけることができ、防犯効果を高めることが可能となる。
【図面の簡単な説明】
【００８６】
【図１】実施形態１を示す概略構成図である。
【図２】同上の動作説明図である。
【図３】実施形態２の動作説明図である。
【図４】実施形態３の動作説明図である。
【図５】実施形態４の動作説明図である。
【図６】実施形態５の動作説明図である。
【図７】実施形態６の動作説明図である。
【図８】実施形態７の動作説明図である。
【図９】実施形態８を示す概略構成図である。
【図１０】同上の動作説明図である。
【図１１】従来例を示す概略構成図である。
【符号の説明】
【００８７】
１  屋外照明装置
２  屋内照明装置
１１  屋外照明負荷
１２  屋外人体センサ
１３  屋外制御部
１４  信号出力部
２１  屋内照明負荷
２２  屋内制御部
【図１】
2005071885.tif 000003
【図２】
2005071885.tif 000004
【図３】
2005071885.tif 000005
【図４】
2005071885.tif 000006
【図５】
2005071885.tif 000007
【図６】
2005071885.tif 000008
【図７】
2005071885.tif 000009
【図８】
2005071885.tif 000010
【図９】
2005071885.tif 000011
【図１０】
2005071885.tif 000012
【図１１】
2005071885.tif 000013